(57)【特許請求の範囲】
【請求項１】
記録媒体から映像信号を読み出す読出部と、前記映像信号をデコードするデコーダと、該デコーダから出力された前記映像信号の信号レベルを増加させてフェードイン処理を行う映像エフェクト部と、該映像エフェクト部のフェードイン処理を制御する制御部とを備え、前記映像エフェクト部は、前記映像信号を輝度信号と色信号とに分離して出力するビデオエンコーダと、前記制御部から出力された第１エフェクト制御信号に基づいて前記輝度信号の信号レベルをフェードイン開始時点から第１の時間で増加させる第１レベル増減部と、該第１レベル増減部から出力された輝度信号と前記ビデオエンコーダから出力された前記色信号とを合成した合成映像信号を出力する合成部と、前記制御部から出力された第２エフェクト制御信号に基づいて前記合成映像信号の信号レベルをフェードイン開始時点から前記第１の時間より長い第２の時間で増加させる第２レベル増減部とを備えたことを特徴とする映像再生装置。
【請求項２】
記録媒体から映像信号を読み出す読出部と、前記映像信号をデコードするデコーダと、該デコーダから出力された前記映像信号の信号レベルを減衰させてフェードアウト処理を行う映像エフェクト部と、該映像エフェクト部のフェードアウト処理を制御する制御部とを備え、前記映像エフェクト部は、前記映像信号を輝度信号と色信号とに分離して出力するビデオエンコーダと、前記制御部から出力された第１エフェクト制御信号に基づいて前記輝度信号の信号レベルをフェードアウト開始時点から予め定めた時間経過後に減衰させる第１レベル増減部と、該第１レベル増減部から出力された輝度信号と前記ビデオエンコーダから出力された前記色信号とを合成した合成映像信号を出力する合成部と、前記制御部から出力された第２エフェクト制御信号に基づいて前記合成映像信号の信号レベルをフェードアウト開始時点から減衰させる第２レベル増減部とを備えたことを特徴とする映像再生装置。
【請求項３】
第１記録媒体から読み出した第１映像信号を第１輝度信号と第１色信号とに分離し、前記第１輝度信号の信号レベルをフェードイン開始時点から第１の時間増加させ、第１輝度信号と第１色信号とを合成した第１合成映像信号の信号レベルをフェードイン開始時点から前記第１の時間より長い第２の時間で増加させるフェードインを行う第１映像再生部と、第２記録媒体から読み出した第２映像信号を第２輝度信号と第２色信号とに分離し、前記第２輝度信号の信号レベルをフェードアウト開始時点から予め定めた時間経過後に減衰させ、第２輝度信号と第２色信号とを合成した第２合成映像信号の信号レベルをフェードアウト開始時点から減衰させるフェードアウトを行う第２映像再生部と、前記第１合成映像信号と前記第２合成映像信号とを合成して出力する映像合成部と、前記第１映像再生部にフェードイン処理を行わせ前記第２映像再生部にフェードアウト処理を行わせ前記第１合成映像信号と前記第２合成映像信号をクロスフェードさせるコマンダとを備えることを特徴とする映像再生装置。
【発明の詳細な説明】
【０００１】
【発明の属する技術分野】
本発明は、映像等のコンテンツ情報が記録された記録媒体を再生する映像再生装置に関する。
【０００２】
【従来の技術】
デジタル・バーサタイル・ディスク（ＤＶＤ：Digital Versatile Disk）などの記録媒体に記録されている映像情報を再生する再生装置において、映像が画面に徐々に現れるフェードイン処理や、映像が画面から徐々に消えるフェードアウト処理などを行う場合、デコーダが備えているフェード機能を使用したり、出力段のレベル増減部の信号レベルを徐々に変化させて行う。
【０００３】
【発明が解決しようとする課題】
図６は、従来のデコーダにおけるフェードイン処理及びフェードアウト処理を説明するための模式図である。
デコーダが備えているフェード機能は、映像信号の信号レベルをフレーム単位で増幅又は減衰させるため、モニタ等の画面に表示された映像の明るさが段階的に変化するように見え、滑らかにフェードイン処理又はフェードアウト処理が行われない。
【０００４】
例えば、フェードイン開始（時刻Ｔｉｓ）からフェードイン終了（時刻Ｔｉｅ）までの時間（Ｔｆｉ）で、デコーダの信号レベルが０からＬｏａに増幅するようにフェードイン処理を行った場合、図６（ａ）に示すように、デコーダから出力される映像信号の信号レベルは、フレーム単位に階段状に増幅し、映像が滑らかにフェードインされない。
【０００５】
フェードアウト開始（時刻Ｔｏｓ）からフェードアウト終了（時刻Ｔｏｅ）までの時間（Ｔｆｏ）で、デコーダの信号レベルがＬｏａから０に減衰するようにフェードアウト処理を行った場合、図６（ｂ）に示すように、デコーダから出力される映像信号の信号レベルは、フレーム単位に階段状に減衰し、映像が滑らかにフェードアウトされない。
【０００６】
また、出力段のレベル増減部の信号レベルを徐々に変化させるフェードイン処理又はフェードアウト処理を行った場合、モニタ等の画面に映像が突然現れたり突然消えたりするため、映像が滑らかにフェードイン又はフェードアウトされない。
【０００７】
フェードイン開始（時刻Ｔｉｓ）からフェードイン終了（時刻Ｔｉｅ）までの時間（Ｔｆｉ）で、出力段のレベル増減部から出力される映像信号の信号レベルを０からＬｏａに徐々に変化させるフェードイン処理において、暗い（黒色の）画面に輝度の高い映像信号がフェードインした場合、図６（ｃ）に示すように、信号レベルは０から徐々に変化しているにも関わらず、映像信号の輝度が高いため、フェードイン開始直後に映像信号が突然現れたように見える。
【０００８】
フェードアウト開始（時刻Ｔｏｓ）からフェードアウト終了（時刻Ｔｏｅ）までの時間（Ｔｆｏ）で、出力段のレベル増減部の信号レベルを徐々に変化させて０にするフェードアウト処理において、映像信号の輝度が高い場合、レベル増減部等のアナログ素子の特性のばらつきにより、図６（ｄ）に示すように、レベル増減部の信号レベルが０になったときに映像信号の信号レベルが完全に０にならず、レベル増減部の信号レベル０の付近で微小な映像信号がモニタの画面に残留する。
【０００９】
レベル増減部の信号レベルが０に達すると、映像信号をＮＴＳＣ（National Television System Committee）方式やＰＡＬ（Phase Alteration by Line）方式のテレビジョン方式に適合した映像信号に変換するビデオエンコーダは、映像信号の出力をミュートし、映像再生装置からの映像信号の出力を０にする。このとき、画面に残留している微小な映像信号が消え、フェードアウト処理されている映像信号が途中で急に消えたように見え、映像が滑らかにフェードアウトされない。これは、フェードアウト処理完了までの時間が長い場合に顕著に現れる。
【００１０】
また、２系統の輝度の高い映像信号のクロスフェード処理を行う場合、フェードインされた映像は、フェードイン開始直後に画面に突然現れるように見え、フェードアウトされた映像は、突然画面から消えるように見え、映像が滑らかにクロスフェードされない。
【００１１】
本発明は、画面に出力される映像信号を、信号レベル０から滑らかにフェードイン処理し、また、画面に出力されている映像信号が信号レベル０まで滑らかにフェードアウト処理すると共に、突然映像が現れたり消えたりすることなく、２系統の映像信号を滑らかにクロスフェード処理する映像再生装置を提供することを目的としている。
【００１３】
【課題を解決するための手段】
本願発明は、記録媒体から映像信号を読み出す読出部と、前記映像信号をデコードするデコーダと、該デコーダから出力された前記映像信号の信号レベルを増加させてフェードイン処理を行う映像エフェクト部と、該映像エフェクト部のフェードイン処理を制御する制御部とを備え、前記映像エフェクト部は、前記映像信号を輝度信号と色信号とに分離して出力するビデオエンコーダと、前記制御部から出力された第１エフェクト制御信号に基づいて前記輝度信号の信号レベルをフェードイン開始時点から第１の時間で増加させる第１レベル増減部と、該第１レベル増減部から出力された輝度信号と前記ビデオエンコーダから出力された前記色信号とを合成した合成映像信号を出力する合成部と、前記制御部から出力された第２エフェクト制御信号に基づいて前記合成映像信号の信号レベルをフェードイン開始時点から前記第１の時間より長い第２の時間で増加させる第２レベル増減部とを備えたことを特徴としている。
【００１４】
本願発明は、記録媒体から映像信号を読み出す読出部と、前記映像信号をデコードするデコーダと、該デコーダから出力された前記映像信号の信号レベルを減衰させてフェードアウト処理を行う映像エフェクト部と、該映像エフェクト部のフェードアウト処理を制御する制御部とを備え、前記映像エフェクト部は、前記映像信号を輝度信号と色信号とに分離して出力するビデオエンコーダと、前記制御部から出力された第１エフェクト制御信号に基づいて前記輝度信号の信号レベルをフェードアウト開始時点から予め定めた時間経過後に減衰させる第１レベル増減部と、該第１レベル増減部から出力された輝度信号と前記ビデオエンコーダから出力された前記色信号とを合成した合成映像信号を出力する合成部と、前記制御部から出力された第２エフェクト制御信号に基づいて前記合成映像信号の信号レベルをフェードアウト開始時点から減衰させる第２レベル増減部とを備えたことを特徴としている。
【００１５】
本願発明は、第１記録媒体から読み出した第１映像信号を第１輝度信号と第１色信号とに分離し、前記第１輝度信号の信号レベルをフェードイン開始時点から第１の時間増加させ、第１輝度信号と第１色信号とを合成した第１合成映像信号の信号レベルをフェードイン開始時点から前記第１の時間より長い第２の時間で増加させるフェードインを行う第１映像再生部と、第２記録媒体から読み出した第２映像信号を第２輝度信号と第２色信号とに分離し、前記第２輝度信号の信号レベルをフェードアウト開始時点から予め定めた時間経過後に減衰させ、第２輝度信号と第２色信号とを合成した第２合成映像信号の信号レベルをフェードアウト開始時点から減衰させるフェードアウトを行う第２映像再生部と、前記第１合成映像信号と前記第２合成映像信号とを合成して出力する映像合成部と、前記第１映像再生部にフェードイン処理を行わせ前記第２映像再生部にフェードアウト処理を行わせ前記第１合成映像信号と前記第２合成映像信号をクロスフェードさせるコマンダとを備えることを特徴としている。
【００１６】
【発明の実施の形態】
図１は、本発明の映像再生装置の一実施例の概略構成を示す模式図である。
図１において、映像再生装置１は、読出部２と、デコーダ３と、映像エフェクト部４と、制御部５とを備えている。映像再生装置１から出力された映像信号は、モニタ６により映像として表示される。
【００１７】
読出部２は、映像信号等が記録されている記録媒体７（本実施例においては、光ディスク）から信号を読み出す。記録媒体７には、映像信号の他に音声信号、副映像信号等が記録されているが、本実施例においては、映像信号のみについて説明し、音声信号等についての説明は省略する。
【００１８】
デコーダ３は、読出部２から出力された映像信号をデコードする。
【００１９】
映像エフェクト部４は、ビデオエンコーダ８、第１ローパスフィルタ（ＬＰＦ：Low Pass Filter）９、第１レベル増減部１０、合成部１１、第２ＬＰＦ１２、第２レベル増減部１３を備える。映像エフェクト部４は、制御部５から出力されるエフェクト制御信号に基づいて、ビデオエンコーダ８から出力された映像信号の輝度信号の信号レベルを変化させたり、映像信号のフェードイン処理及びフェードアウト処理を行う。
【００２０】
ビデオエンコーダ８は、デコーダ３から出力された映像信号を、ＮＴＳＣ方式やＰＡＬ方式などのテレビジョン方式に適合した映像信号に変換し、その映像信号を輝度信号と色信号とに分離し、色信号は後述する合成部１１に出力し、輝度信号は後述する第１レベル増減部に出力する。
【００２１】
第１ＬＰＦ９は、後述する制御部５から入力される第１エフェクト制御信号を直流電圧に変換して出力する。
【００２２】
第１レベル増減部１０は、第１ＬＰＦ９から出力された第１エフェクト制御信号に基づいて、ビデオエンコーダ８から出力される輝度信号の信号レベルを変化させて出力する。輝度信号の信号レベルが変化すると、映像信号の明るさが変化する。
【００２３】
合成部１１は、第１レベル増減部１０から出力された輝度信号とビデオエンコーダ８から出力された色信号とを合成した合成映像信号を出力する。
【００２４】
第２ＬＰＦ１２は、後述する制御部５からの第２エフェクト制御信号を直流電圧に変換して出力する。
【００２５】
第２レベル増減部１３は、第２ＬＰＦ１２から出力された第２エフェクト制御信号に基づいて、合成部１１から出力される合成映像信号の信号レベルを変化させて出力する。第２レベル増減部１３が、合成映像信号の信号レベルを変化させることにより、映像信号にフェードイン処理又はフェードアウト処理が行われる。
【００２６】
制御部５は、読出部２における記録媒体７からの映像信号の読み出し、デコーダ３のデコード、映像エフェクト部４における輝度信号の信号レベルの増減やフェードイン処理及びフェードアウト処理を行わせる制御を行う。制御部５は、外部から入力される指示信号に基づいて、読出部２、デコーダ３及び映像エフェクト部４等を制御する。
【００２７】
制御部５は、第１エフェクト制御信号及び第２エフェクト制御信号として、予め定められたクロックの１サイクルにおけるハイレベル期間とローレベル期間との比（デューティー比）を、時間の経過に伴って徐々に変化させたＰＷＭ（Plus
Width Modulation）信号を出力する。
【００２８】
制御部５は、輝度信号の信号レベルを変化させる第１エフェクト制御信号（第１ＰＷＭ信号）と、合成映像信号の信号レベルを変化させる第２エフェクト制御信号（第２ＰＷＭ信号）とを出力する。
【００２９】
これらのＰＷＭ信号が後述するＬＰＦを通過することにより直流電圧に変換される。例えば、ハイレベル期間が５Ｖ、ローレベル期間が０Ｖであり、１サイクルのデューティー比５０（ハイレベル期間）：５０（ローレベル期間）のＰＷＭ信号が第１ＬＰＦ９又は第２ＬＰＦ１２を通過したときの直流電圧が２．５Ｖの場合、デューティー比７０（ハイレベル期間）：３０（ローレベル期間）のＰＷＭ信号では直流電圧が３．５Ｖとなり、デューティー比３０（ハイレベル期間）：７０（ローレベル期間）のＰＷＭ信号では直流電圧が１．５Ｖとなる。
【００３０】
本実施例の映像再生装置におけるフェードイン処理及びフェードアウト処理について説明する。
図２は、本実施例の映像再生装置のフェードイン処理を説明するための模式図である。図２において、フェードイン開始時刻をＴｉｓ、フェードイン終了時刻をＴｉｅ、輝度信号の信号レベルを増加させている時間をＴｉｙ、映像信号及び輝度信号の元の信号レベルをＬｏａとする。
【００３１】
制御部５は、外部からフェードイン処理を実行させる指示信号が入力されると、時刻Ｔｉｓから時刻Ｔｉｅまでの期間において、第１レベル増減部１０から出力される輝度信号の信号レベルが０からＬｏａに達するまでの時間Ｔｉｙと、第２レベル増減部１３から出力される合成映像信号の信号レベルが０からＬｏａに達するまでの時間Ｔｆｉを算出する。
【００３２】
本実施例において、時刻Ｔｉｅは、時刻Ｔｉｓに対して予め定められた時間経過した時刻とするが、映像によって異なる時刻であったり、ユーザが任意に設定した時刻でもよい。
【００３３】
制御部５は、図２（ａ）に示すように、時間Ｔｉｙの間に輝度信号の信号レベルが０からＬｏａに徐々に増加するように、第１レベル増減部１２のゲインを増加させる第１エフェクト制御信号のデューティー比を求める。求められたデューティー比は、制御部５の第１ＰＷＭ制御レジスタ（図示せず）に、予め定められた時刻毎に記憶され、データテーブルが作成される。
【００３４】
また、制御部５は、図２（ｂ）に示すように、時間Ｔｆｉの間に輝度信号と色信号とを合成した合成映像信号の信号レベルが、０からＬｏａに徐々に増加するように、第２レベル増減部１３のゲインを増加させる第２エフェクト制御信号のデューティー比を求める。求められたデューティー比は、制御部５の第２ＰＷＭ制御レジスタ（図示せず）に、予め定められた時刻毎に記憶され、データテーブルが作成される。
【００３５】
制御部５は、これらデータテーブルを参照して第１エフェクト制御信号及び第２エフェクト制御信号を出力し、第１レベル増減部１０及び第２レベル増減部１３の信号レベルを徐々に変化させる。
【００３６】
ここで、本実施例では、第１エフェクト制御信号及び第２エフェクト制御信号のデューティー比が各レジスタに記憶される予め定められた時刻とは、例えば、ビデオ同期信号（ＶＳＹＮＣ）が発生する周期の時刻であってもよく、また、ビデオ同期信号が発生する周期より短い周期の時刻でもよい。
【００３７】
第１レベル増減部１０は、制御部５から第１エフェクト制御信号が入力されると、ビデオエンコーダ８から出力された輝度信号の信号レベルを一旦０にした後、第１エフェクト制御信号に基づいて時間Ｔｉｙで徐々に増加させる。時間Ｔｉｙ経過すると、輝度信号の信号レベルはＬｏａとなる。第１レベル増減部１０から出力された輝度信号は、合成部１１で色信号と合成され、第２レベル増減部１３に出力される。
【００３８】
第２レベル増減部１３は、合成部１１から出力される合成映像信号の信号レベルを、第２エフェクト制御信号に基づいて、時間Ｔｆｉで徐々に増加させる。
【００３９】
したがって、映像エフェクト部４から出力される映像信号は、図２（ｃ）に示すように、時刻Ｔｉｓから時間Ｔｉｙの間、輝度信号の信号レベルが徐々に増加すると共に合成映像信号が徐々に増加する。そして、時刻Ｔｉｓから時間Ｔｉｙ経過した後は、合成映像信号の信号レベルが徐々に増加する。これにより、映像が滑らかにフェードインされる。
【００４０】
図３は、本実施例の映像再生装置のフェードアウト処理を説明するための模式図である。図３において、フェードアウト開始時刻をＴｏｓ、フェードアウト終了時刻をＴｏｅ、輝度信号の信号レベルを減衰させている時間をＴｏｙ、映像信号及び輝度信号の元の信号レベルをＬｏａとする。
【００４１】
制御部５は、外部から映像信号のフェードアウト処理を実行させる指示信号が入力されると、時刻Ｔｏｓから時刻Ｔｏｅまでの期間において、第１レベル増減部１０から出力される輝度信号の信号レベルがＬｏａから０に達するまでの時間Ｔｏｙと、第２レベル増減部１３から出力される合成映像信号の信号レベルがＬｏａから０に達するまでの時間Ｔｆｏを算出する。
【００４２】
本実施例において、時刻Ｔｏｅは、時刻Ｔｏｓに対して予め定められた時間経過した時刻とするが、映像によって異なる時刻であったり、ユーザが任意に設定した時刻でもよい。
【００４３】
制御部５は、図３（ａ）に示すように、時間Ｔｏｙの間に輝度信号の信号レベルがＬｏａから０に徐々に減衰するように、第１レベル増減部１０のゲインを減衰させる第１エフェクト制御信号のデューティー比を求める。求められたデューティー比は、制御部５の第１ＰＷＭ制御レジスタ（図示せず）に、予め定められた時間毎に記憶され、データテーブルが作成される。
【００４４】
また、制御部５は、図３（ｂ）に示すように、時間Ｔｆｏの間に輝度信号と色信号とを合成した合成映像信号の信号レベルが、Ｌｏａから０に徐々に減衰するように、第２レベル増減部１３のゲインを減衰させる第２エフェクト制御信号のデューティー比を求める。求められたデューティー比は、制御部５の第２ＰＷＭ制御レジスタ（図示せず）に、予め定められた時間毎に記憶され、データテーブルが作成される。
【００４５】
制御部５は、これらデータテーブルを参照して第１エフェクト制御信号及び第２エフェクト制御信号を出力し、第１レベル増減部１０及び第２レベル増減部１３の信号レベルを変化させる。
【００４６】
ここで、本実施例では、第１エフェクト制御信号及び第２エフェクト制御信号のデューティー比が各レジスタに記憶される予め定められた時刻とは、例えば、ビデオ同期信号（ＶＳＹＮＣ）が発生する周期の時刻であってもよく、また、ビデオ同期信号が発生する周期より短い周期の時刻でもよい。
【００４７】
第１レベル増減部１０は、制御部５から第１エフェクト制御信号が入力されると、ビデオエンコーダ８から出力された輝度信号の信号レベルを、第１エフェクト制御信号に基づいて、時間Ｔｏｙで徐々に減衰させる。時間Ｔｏｙが経過すると、輝度信号の信号レベルは０となる。第１レベル増減部１０から出力された輝度信号は、合成部１１で色信号と合成され、第２レベル増減部１３に出力される。
【００４８】
第２レベル増減部１３は、合成部１１から出力された合成映像信号の信号レベルを、第２エフェクト制御信号に基づいて、時間Ｔｆｏで徐々に減衰させる。
【００４９】
したがって、映像エフェクト部４から出力される映像信号は、図３（ｃ）に示すように、時刻Ｔｏｓから時間Ｔｏｙの開始時刻までの間、合成映像信号が徐々に減衰する。そして、時間Ｔｏｙの開始時刻になると、合成映像信号の信号レベルが徐々に減衰すると共に輝度信号の信号レベルが徐々に減衰する。これにより、映像が滑らかにフェードアウトする。
【００５０】
以上のように、フェードイン処理及びフェードアウト処理において、映像信号のうちの輝度信号を予め定めた時間で徐々に変化させると共に、輝度信号と色信号を合成した合成映像信号の信号レベルを予め定められた時間で徐々に変化させるため、映像が滑らかにフェードイン及びフェードアウトされる。
【００５１】
図４は、本発明の映像再生装置の他の実施例の概略構成を示す模式図である。
図４において、第１映像再生部１ａの第１読出部２ａ、第１デコーダ３ａ、第１映像エフェクト部４ａ及び第１制御部５ａと、第２映像再生部１ｂの第２読出部２ｂ、第２デコーダ３ｂ、第２映像エフェクト部４ｂ及び第２制御部５ｂと、モニタ６は、前述した映像再生装置１の構成と同じであるため、説明を省略する。また、第１記録媒体７ａと第２記録媒体７ｂも、前述した記録媒体７と同様であるため、説明を省略する。
【００５２】
コマンダ１４は、外部信号に基づいて、第１映像再生部１ａに映像信号のフェードイン処理を行わせた場合に、第２映像再生部１ｂにフェードアウト処理を行わせる。本実施例においては、第１映像再生部１ａにフェードイン処理を行わせ、第２映像再生部１ｂにフェードアウト処理を行わせているが、第１映像再生部１ａにフェードアウト処理を行わせ、第２映像再生部１ｂにフェードイン処理を行わせてもよい。
【００５３】
映像合成部１５は、第１映像再生部１ａから出力された第１合成映像信号と第２映像再生部１ｂから出力された第２合成映像信号とを合成してモニタ６に出力する。
【００５４】
図５は、本実施例の映像再生装置のクロスフェード処理を説明するための模式図である。図５において、クロスフェード開始時刻をＴｃｓ、クロスフェード終了時刻をＴｃｅ、クロスフェード処理におけるフェードイン開始時刻をＴｉｓ（Ｔｃｓ）、フェードイン終了時刻をＴｉｅ（Ｔｃｅ）、クロスフェードにおけるフェードアウト開始時刻をＴｏｓ（Ｔｃｓ）、フェードアウト終了時刻をＴｏｅ（Ｔｃｅ）、輝度信号の信号レベルを増加させている時間をＴｉｙ、輝度信号の信号レベルを減衰させている時間をＴｏｙ、クロスフェード処理に要する時間をＴｃｆ、映像信号及び輝度信号の元の信号レベルをＬｏａとする。
【００５５】
図４において、クロスフェード処理を指示する外部信号がコマンダ１４に入力されると、コマンダ１４は、第１映像再生部１ａにフェードイン処理を行わせる指示信号を出力し、第２映像信号部１ｂにフェードアウト処理を行わせる指示信号を出力する。
【００５６】
第１映像再生部１ａは、図５（ａ）に示すように、時刻Ｔｉｓ（Ｔｃｓ）から時間Ｔｉｙの間、第１輝度信号の信号レベルを０からＬｏａに徐々に増加させると共に、時刻Ｔｉｓ（Ｔｃｓ）から時刻Ｔｉｅ（Ｔｃｅ）までの時間Ｔｆｉ（Ｔｃｆ）に、第１輝度信号と第１色信号を合成した第１合成映像信号の信号レベルを０からＬａｏに徐々に増加させる。
【００５７】
第２映像再生部１ｂは、図５（ｂ）に示すように、時刻Ｔｏｓ（Ｔｃｓ）から時刻Ｔｏｅ（Ｔｃｅ）までの時間Ｔｆｏ（Ｔｃｆ）に、第２輝度信号と第２色信号を合成した第２合成映像信号の信号レベルをＬｏａから０に徐々に減衰させると共に、時間Ｔｏｙの間、第２輝度信号の信号レベルをＬｏａから０に徐々に減衰させる。
【００５８】
映像合成部１５は、第１映像再生部１ａから出力される第１合成映像信号と第２映像再生部１ｂから出力される第２合成映像信号とを合成し、図５（ｃ）に示すように、映像信号をモニタ６に出力する。すなわち、一方の映像信号が信号レベル０から滑らかにフェードインし、他方の映像信号が信号レベル０まで滑らかにフェードアウトする。
【００５９】
【発明の効果】
本発明によれば、映像信号を信号レベル０から滑らかにフェードイン処理することができる。また、映像信号を信号レベル０まで滑らかにフェードアウトすることができる。さらに、映像が突然現れたり消えたりすることなく、２系統の映像信号を滑らかにクロスフェード処理を行うことができる。
【図面の簡単な説明】
【図１】本発明の映像再生装置の一実施例の概略構成を示す模式図。
【図２】本実施例の映像再生装置のフェードイン処理を説明するための模式図。
【図３】本実施例の映像再生装置のフェードアウト処理を説明するための模式図。
【図４】本発明の映像再生装置の他の実施例の概略構成を示す模式図。
【図５】本実施例の映像再生装置のクロスフェード処理を説明するための模式図。
【図６】従来のデコーダにおけるフェードイン処理及びフェードアウト処理を説明するための模式図。
【符号の説明】
１・・・映像再生装置、１ａ・・・第１映像再生部、１ｂ・・・第２映像再生部、２・・・読出部、２ａ・・・第１読出部、２ｂ・・・第２読出部、３・・・デコーダ、３ａ・・・第１デコーダ、３ｂ・・・第２デコーダ、４・・・映像エフェクト部、４ａ・・・第１映像エフェクト部、４ｂ・・・第２映像エフェクト部、５・・・制御部、５ａ・・・第１制御部、５ｂ・・・第２制御部、６・・・モニタ、７・・・記録媒体、７ａ・・・第１記録媒体、７ｂ・・・第２記録媒体、８・・・ビデオエンコーダ、９・・・第１ＬＰＦ、１０・・・第１レベル増減部、１１・・・合成部、１２・・・第２ＬＰＦ、１３・・・第２レベル増減部、１４・・・コマンダ、１５・・・・映像合成部。
【図１】
0003759352.tif 000002
【図２】
0003759352.tif 000003
【図３】
0003759352.tif 000004
【図４】
0003759352.tif 000005
【図５】
0003759352.tif 000006
【図６】
0003759352.tif 000007